(57)【要約】【課題】 留守中に異常検知センサが動作した場合や、管理人から呼び出しがあったことを、専用の通知手段を設けることなく帰宅した居住者に通知することができるインターホン装置の親機を提供する。【解決手段】  モニタ２１に表示するためのアイコン画像を記憶するアイコン記憶部２８を親機２に設け、親機ＣＰＵ３０は親機２に接続された異常検知センサ３から検知信号を受信したら、映像記憶部２７に録画されるカメラ１２の撮像映像と同一の時系列でアイコン記憶部２８から検知信号に関連付けられた特定のアイコン画像を読み出して映像記憶部２７へ録画する。【選択図】  図２
2011160105.tif 000002
【特許請求の範囲】
【請求項１】
カメラを備えた子機からの呼び出しを受けて応答する機能、及び前記カメラの撮像映像を表示するモニタ、更に前記撮像映像を録画する映像記憶部を備えたインターホン装置の親機であって、
前記モニタに表示するためのアイコン画像を記憶するアイコン記憶部と、前記映像記憶部への録画を実施する録画制御部とを有し、
前記録画制御部は、親機に接続された機器から所定の信号が送信されたら、前記アイコン記憶部から前記所定の信号に関連付けられた特定のアイコン画像を読み出して、前記映像記憶部に録画される前記カメラの撮像映像に連続する時系列で前記映像記憶部へ録画することを特徴とするインターホン装置の親機。
【請求項２】
前記録画制御部は、前記アイコン画像を録画する際に録画する時刻情報を画像に添付して録画することを特徴とする請求項１記載のインターホン装置の親機。
【請求項３】
来訪者を撮像するためのカメラ及び居住者を呼び出して通話する機能を備えた子機と、前記カメラの撮像映像を表示するモニタ及び前記子機からの呼び出しに応答する機能を備えた親機と、前記親機に接続されたガス検知器等の異常検知手段とを備えたインターホン装置において、
前記親機が請求項１又は２に記載の親機であり、前記親機のアイコン記憶部は前記異常検知手段の種類に応じたアイコン画像を記憶し、
前記親機の録画制御部は、前記異常検知手段の動作信号である所定の信号を受けたら異常検知手段の種類に対応するアイコン画像を前記アイコン記憶部から読み出して前記親機の映像記憶部に録画することを特徴とするインターホン装置。
【請求項４】
集合住宅のエントランスに設置されて来訪者を撮像するためのカメラ及び居住者を呼び出して通話する機能を備えた集合玄関機と、集合住宅の個々の住戸に設置されて前記カメラの撮像映像を表示するモニタ及び前記集合玄関機からの呼び出しに応答する機能を備えた住戸親機と、前記集合玄関機、前記住戸親機と通話路を形成する機能を備えた管理室親機と、前記集合玄関機、前記住戸親機及び前記管理室親機を制御する制御機とを有するインターホン装置において、
前記住戸親機が請求項１又は２に記載の親機であり、前記住戸親機のアイコン記憶部は前記管理室親機から送信された所定の信号に対応するアイコン画像を記憶し、
前記住戸親機の録画制御部は、前記管理室親機から前記所定の信号を受信したら対応するアイコン画像を前記アイコン記憶部から読み出して前記住戸親機の映像記憶部に録画することを特徴とするインターホン装置。
【請求項５】
前記管理室親機は、呼出操作した前記住戸親機から応答が無かった場合に、通常、緊急、返信必要等の所定の信号の種類を選択する呼出内容選択手段を有する一方、
前記アイコン記憶部は、前記所定の信号の種類に対応する複数のアイコン画像を記憶し、
前記録画制御部は、前記呼出内容選択手段により選択された所定の信号を受けたら、対応するアイコン画像を前記映像記憶部に録画することを特徴とする請求項４記載のインターホン装置。
【請求項６】
前記住戸親機は、前記モニタに設けられたタッチパネルから成る操作部を有する一方、前記アイコン記憶部には返信ボタンが設けられた返信必要を示すアイコン画像が記憶され、
前記モニタに表示されたアイコン画像の前記返信ボタンがタッチされると、前記管理室親機に対して呼出信号を送信する親機呼出制御部を有することを特徴とする請求項５記載のインターホン装置。
【請求項７】
集合住宅のエントランスに設置されて来訪者を撮像するためのカメラ及び居住者を呼び出して通話する機能を備えた集合玄関機と、集合住宅の個々の住戸に設置されて前記カメラの撮像映像を表示するモニタ及び前記集合玄関機からの呼び出しに応答する機能を備えた住戸親機と、前記集合玄関機、前記住戸親機と通話路を形成する機能を備えた管理室親機と、前記集合玄関機、前記住戸親機及び前記管理室親機を制御する制御機とを有するインターホン装置において、
前記住戸親機が請求項１又は２に記載の親機あり、前記住戸親機のアイコン記憶部は前記管理室親機から呼び出しがあったことを表示するアイコン画像を記憶し、
前記住戸親機の録画制御部は、前記管理室親機から呼出信号を受信した後、応答操作が無く呼出終了信号を受けたら、前記アイコン記憶部からアイコン画像を読み出して前記住戸親機の映像記憶部に録画することを特徴とするインターホン装置。
【発明の詳細な説明】
【技術分野】
【０００１】
本発明は、映像を表示するモニタ及び映像を録画する機能を備えたインターホン装置の親機、及びこの親機を備えたインターホン装置に関する。
【背景技術】
【０００２】
従来から、住戸内に設置された親機に火災感知器等の異常検知センサが接続されて、異常を検知したら親機が警報を発するよう構成されたインターホン装置がある（例えば、特許文献１参照）。
また、集合住宅に設置されたインターホン装置は、集合玄関に設置された集合玄関機や個々の住戸に設置された親機に加えて、管理室に管理室親機が設置されている。この場合、管理室親機から親機を呼び出して通話することが可能となっており、居住者が留守の親機に呼び出しをした場合、親機のメッセージランプを点灯させることで、帰宅した居住者が管理人から呼び出しを受けたことを認識できるようにしている（例えば、特許文献２参照）。
【先行技術文献】
【特許文献】
【０００３】
【特許文献１】特開２００５−２５８８１８号公報
【特許文献２】特開平８−２５１３００号公報
【発明の概要】
【発明が解決しようとする課題】
【０００４】
しかしなが、居住者が留守の間に異常検知センサが異常を検知して親機で警報を発しても、警報発報が終了した後で居住者が帰宅した場合は、異常検知センサが動作したことに気づかない。
一方、上記集合住宅に設置されたインターホン装置においては、管理人から呼び出しがあったことを居住者に通知するためには、親機にメッセージランプを備えなければならないし、管理人による管理室親機操作も必要であった。また、メッセージランプでは、いつ呼び出しがあったのかを把握することができなかった。
【０００５】
そこで、本発明はこのような問題点に鑑みなされたもので、留守中に異常検知センサが動作した場合や、管理人から呼び出しがあったことを、専用の通知手段を設けることなく帰宅した居住者に通知することができるインターホン装置の親機、及びインターホン装置を提供することを目的としている。
【課題を解決するための手段】
【０００６】
上記課題を解決する為に、請求項１の発明は、カメラを備えた子機からの呼び出しを受けて応答する機能、及びカメラの撮像映像を表示するモニタ、更に撮像映像を録画する映像記憶部を備えたインターホン装置の親機であって、モニタに表示するためのアイコン画像を記憶するアイコン記憶部と、映像記憶部への録画を実施する録画制御部とを有し、録画制御部は、親機に接続された機器から所定の信号が送信されたら、アイコン記憶部から所定の信号に関連付けられた特定のアイコン画像を読み出して、映像記憶部に録画されるカメラの撮像映像に連続する時系列で映像記憶部へ録画することを特徴とする。
この構成によれば、接続機器から例えばガス漏れ等の異常を検知した信号を受信したら、それを認識できるアイコン画像がカメラ撮像映像と同じ時系列で記憶される。そのため、帰宅した居住者が留守の間に訪問者があったか確認する操作により、録画映像に連続してアイコン画像も表示されるので、居住者は留守中に親機がどのような信号を受信したかモニタを見て認識することができ、別途表示手段が必要無くなる。
【０００７】
請求項２の発明は、請求項１に記載の構成において、録画制御部は、アイコン画像を録画する際に録画する時刻情報を画像に添付して録画することを特徴とする。
この構成によれば、表示されたアイコン画像に時刻も表示されるので、何時信号を受信したか正確な時刻を把握できる。
【０００８】
請求項３の発明は、来訪者を撮像するためのカメラ及び居住者を呼び出して通話する機能を備えた子機と、カメラの撮像映像を表示するモニタ及び子機からの呼び出しに応答する機能を備えた親機と、親機に接続されたガス検知器等の異常検知手段とを備えたインターホン装置において、親機が請求項１又は２に記載の親機であり、親機のアイコン記憶部は異常検知手段の種類に応じたアイコン画像を記憶し、親機の録画制御部は、異常検知手段の動作信号である所定の信号を受けたら異常検知手段の種類に対応するアイコン画像をアイコン記憶部から読み出して親機の映像記憶部に録画することを特徴とする。
この構成によれば、録画映像を再生することで、ガス漏れ等の異常が発生したことを認識でき、別途そのための表示手段が必要無い。
【０００９】
請求項４の発明は、集合住宅のエントランスに設置されて来訪者を撮像するためのカメラ及び居住者を呼び出して通話する機能を備えた集合玄関機と、集合住宅の個々の住戸に設置されてカメラの撮像映像を表示するモニタ及び集合玄関機からの呼び出しに応答する機能を備えた住戸親機と、集合玄関機、住戸親機と通話路を形成する機能を備えた管理室親機と、集合玄関機、住戸親機及び管理室親機を制御する制御機とを有するインターホン装置において、住戸親機が請求項１又は２に記載の親機であり、住戸親機のアイコン記憶部は管理室親機から送信された所定の信号に対応するアイコン画像を記憶し、住戸親機の録画制御部は、管理室親機から所定の信号を受信したら対応するアイコン画像をアイコン記憶部から読み出して住戸親機の映像記憶部に録画することを特徴とする。
この構成によれば、管理室親機が呼出操作した住戸親機から応答が無い場合等に、管理室親機から所定の信号を送信すれば、関連するアイコン画像を住戸親機の映像記憶部に録画させることができる。そのため、帰宅した居住者は、録画映像を再生した段階で、管理人から呼び出し等があったことを認識でき、別途そのための表示手段が必要無い。
【００１０】
請求項５の発明は、請求項４に記載の構成において、管理室親機は、呼出操作した住戸親機から応答が無かった場合に、通常、緊急、返信必要等の所定の信号の種類を選択する呼出内容選択手段を有する一方、アイコン記憶部は、所定の信号の種類に対応する複数のアイコン画像を記憶し、録画制御部は、呼出内容選択手段により選択された所定の信号を受けたら、対応するアイコン画像を映像記憶部に録画することを特徴とする。
この構成によれば、管理室親機から呼出操作された住戸親機から応答が無い場合に、住戸親機に録画させるアイコン画像を管理室親機から選択することができる。そのため、応答を必要とする内容であるか、緊急な内容であるか録画を選択して録画させることができ、録画を再生した居住者は適切な対応をとることができる。
【００１１】
請求項６の発明は、請求項５に記載の構成において、住戸親機は、モニタに設けられたタッチパネルから成る操作部を有する一方、アイコン記憶部には返信ボタンが設けられた返信必要を示すアイコン画像が記憶され、モニタに表示されたアイコン画像の返信ボタンがタッチされると、管理室親機に対して呼出信号を送信する親機呼出制御部を有することを特徴とする。
この構成によれば、返信が必要なアイコン画像にはタッチ操作で管理人を呼び出すことができる返信ボタンが表示されるので、ワンタッチで応答操作でき便利である。
【００１２】
請求項７の発明は、集合住宅のエントランスに設置されて来訪者を撮像するためのカメラ及び居住者を呼び出して通話する機能を備えた集合玄関機と、集合住宅の個々の住戸に設置されてカメラの撮像映像を表示するモニタ及び集合玄関機からの呼び出しに応答する機能を備えた住戸親機と、集合玄関機、住戸親機と通話路を形成する機能を備えた管理室親機と、集合玄関機、住戸親機及び管理室親機を制御する制御機とを有するインターホン装置において、住戸親機が請求項１又は２に記載の親機あり、住戸親機のアイコン記憶部は管理室親機から呼び出しがあったことを表示するアイコン画像を記憶し、住戸親機の録画制御部は、管理室親機から呼出信号を受信した後、応答操作が無く呼出終了信号を受けたら、アイコン記憶部からアイコン画像を読み出して住戸親機の映像記憶部に録画することを特徴とする。
この構成によれば、応答が無かった場合は自動的にそれを認識できるアイコン画像が録画されるので、録画映像を再生した居住者は、管理人から呼び出しがあったことを認識でき、別途表示手段を必要としない。また、呼出操作に加えて別途アイコン画像選択操作や記憶操作を行う必要が無く、管理人の負担を軽減できる。
【発明の効果】
【００１３】
本発明のインターホン装置の親機によれば、接続機器から例えばガス漏れ等の異常を検知した信号を受信したら、それを認識できるアイコン画像がカメラ撮像映像と同じ時系列で記憶される。そのため、留守の間に訪問者があったか確認する操作により、録画映像に連続してアイコン画像も表示されるので、居住者は留守中に親機がどのような信号を受信したかモニタを見て認識することができ、別途表示手段を必要としない。
また、本発明のインターホン装置によれば、管理室親機が呼出操作した住戸親機から応答が無い場合等に、関連するアイコン画像を住戸親機の映像記憶部に録画させることができるので、帰宅した居住者は管理人から呼び出し等があったことをモニタを見て認識でき、別途表示手段を必要としない。
【図面の簡単な説明】
【００１４】
【図１】本発明の親機を備えた戸建て住戸向けのインターホン装置の一例を示す構成図である。
【図２】図１の親機の回路ブロック図である。
【図３】アイコン記憶部に記憶されているアイコン画像であり、（ａ）は火災感知器が動作した場合の画像、（ｂ）はガス漏れ検知器が動作した場合の画像、（ｃ）は緊急呼出ボタンが操作された場合の画像を夫々示している。
【図４】録画映像を再生した場合にモニタに表示される映像の流れを示す画像説明図である。
【図５】本発明に係る集合住宅向けのインターホン装置の一例を示す構成図である。
【図６】図５の住戸親機の回路ブロック図である。
【図７】アイコン記憶部に記憶されている管理人からの呼び出しを通知するためのアイコン画像であり、（ａ）は基本画像、（ｂ）は緊急な呼び出しである場合の画像、（ｃ）は返信を必要とする場合の画像、（ｄ）は返信を必要としない場合の画像を夫々示している。
【図８】図５の管理室親機の回路ブロック図である。
【図９】録画映像を再生した場合にモニタに表示される映像の流れを示す画像説明図である。
【図１０】アイコン画像の他の例である。
【発明を実施するための形態】
【００１５】
以下、本発明を具体化した実施の形態を、図面に基づいて詳細に説明する。図１は、本発明に係る親機及び戸建て住宅向けのインターホン装置を示す図であり、１は来訪者が居住者を呼び出すために玄関に設置された子機、２は住戸内に設置されて玄関子機１からの呼び出しに応答するための親機である。双方は伝送線Ｌ１により接続され、親機２には、火災感知器３ａ、ガス漏れ検知器３ｂ等の異常検知センサ３が夫々伝送線Ｌ２，Ｌ３を介して接続され、更に緊急呼出ボタン５が伝送線Ｌ４により接続されている。この緊急呼出ボタン５は、トイレや浴室等に設置され、居住者に異常が発生した場合に操作され、親機２において警報が報音される。
【００１６】
子機１は、呼出操作する呼出ボタン１１、来訪者を撮像するカメラ１２、居住者と通話するためのマイク１３及びスピーカ１４を備えている。
【００１７】
親機２は図２の回路ブロック図に示すように構成され、カメラ１２の撮像映像を表示するためのモニタ２１、モニタ２１に表示するために復調等の処理を行う映像処理部２２、来訪者と通話するためのマイク２３及びスピーカ２４、マイク２３及びスピーカ２４を制御する通話回路２５、応答操作や録画／再生操作、その他各種設定操作をおこなうための操作部２６、映像を記憶する映像記憶部２７、後述するアイコン画像を記憶するアイコン記憶部２８、子機１や異常検知センサ３、更には緊急呼出ボタン５と通信するための親機ＩＦ２９、親機２内の各部を制御する親機ＣＰＵ３０等を備えている。
【００１８】
アイコン記憶部２８には、図３に示すようなアイコン画像が記憶されている。図３において、（ａ）は火災感知器３ａが動作したことを表示するアイコン画像、（ｂ）はガス漏れ検知器３ｂが動作したことを示すアイコン画像、（ｃ）は緊急呼出ボタン５が操作されたことを示すアイコン画像となっている。
【００１９】
このように構成されたインターホン装置の動作は以下のようである。但し、子機１からの呼び出し操作、及び呼び出しを受けた親機２からの応答操作は従来と同等であるため説明を省略し、ここでは親機２に接続された異常検知センサ３が動作したり緊急呼出ボタン５が操作された場合の動作について説明する。
【００２０】
例えばガス漏れ検知器３ｂがガス漏れを感知すると、ガス漏れ検知信号が親機２に送信される。この信号を受信した親機２は、親機ＣＰＵ３０がスピーカ２４から警報音を報音させる。更に親機ＣＰＵ３０は、ガス漏れ検知信号を受けて、アイコン記憶部２８からガス漏れ検知画像を読み出して、時刻情報を添付して映像記憶部２７に記憶させる。この記憶制御は映像の録画と同様の時系列で行われる。
その後、一定時間が経過したら或いは所定の復旧操作が成されると、警報音が停止して通常の待受け状態に戻る（従来と同様であるので詳述せず）。
【００２１】
尚、火災感知器３ａが動作した場合や、緊急呼出ボタン５が操作された場合も同様であり、火災感知画像及び非常通知画像がアイコン記憶部２８から読み出されて時刻情報と共に映像記憶部２７に記憶される。
【００２２】
このような警報発生時に居住者が在宅であれば、警報により異常が発生したことを認識でき、必要な処置を講ずることができる。一方、留守にしている場合には居住者は気づかないが、帰宅した時に訪問者の有無を確認する操作がなされると、親機ＣＰＵ３０が再生制御を実施し、映像記憶部２７に記憶された映像が読み出され、図４に示すように来訪者の映像が時系列で順次モニタ２１に表示される。
図４は、（ａ）〜（ｄ）と４種類の映像が表示される様子を示し、２人の訪問者があった後、ガス漏れ検知器３ｂが作動したことがその時刻と共に表示され、その後１人の訪問者があったことを表示する様子を示している。こうして、居住者はガス漏れを検知したことをその時刻と共に認識することができる。
【００２３】
このように、親機２は、例えばガス漏れ等の異常を検知した信号を受信したら、それを認識できるアイコン画像がカメラ撮像映像と同じ時系列で映像記憶部２７に記憶されるため、帰宅した居住者が留守の間に訪問者があったか確認する操作をおこなうと、録画映像に連続してアイコン画像も表示される。よって、留守中に親機２がどのような信号を受信したかモニタ２１を見て認識することができ、別途表示手段が必要無くなる。
そして、表示されたアイコン画像に時刻も表示されるので、何時異常が発生したか正確な時刻を把握できる。特に、現状ではガス漏れの警報は誤報が発生し易いため、誤報があったことを記録に残すことができその後のメンテナンスに役立てることができる。
【００２４】
図５は本発明のインターホン装置の他の例を示し、集合住宅に設置されたインターホン装置を示している。図５において、４１は集合玄関機、４２は住戸親機、４３は管理室親機、４４は制御機を示している。集合玄関機４１は伝送線Ｌ５を介して制御機４４に接続され、各住戸親機４２，４２，・・は親機幹線Ｌ６を介して制御機４４に接続され、管理室親機４３は伝送線Ｌ７を介して制御機４４に接続されている。
【００２５】
集合玄関機４１は集合住宅のエントランスに設置され、来訪者が居住者を呼び出す機能を有し、来訪者を撮像するためのカメラ４１ａを備えている。住戸親機４２は個々の住戸に設置され、集合玄関機４１からの呼び出しを報知し、それを確認した居住者が通話するための機能を有し、カメラ４１ａが撮像した映像を表示するためのモニタ５１を備えている。管理室親機４３は、集合玄関機４１及び住戸親機４２と通話路を形成でき、来訪者や居住者と通話することができる。また制御機４４は、集合玄関機４１、住戸親機４２、管理室親機４３の夫々の間の通話を制御する。
【００２６】
図６は住戸親機４２の回路ブロック図を示している。この図６に示すように、住戸親機４２は、映像を表示するためのモニタ５１、モニタ５１にカメラ４１ａの撮像映像を表示するために復調等の処理を行う映像処理部５２、来訪者と通話するためのマイク５３及びスピーカ５４、このマイク５３及びスピーカ５４を制御する通話回路５５、通話操作や録画／再生操作、その他各種設定等の操作をおこなうためのボタン等から成る操作部５６、映像を記憶する映像記憶部５７、後述するアイコン画像を記憶するアイコン記憶部５８、制御機４４と通信するための親機ＩＦ５９、住戸親機４２内の各部を制御する親機ＣＰＵ６０等を備えている。
【００２７】
アイコン記憶部５８には、図７に示す複数のアイコン画像が記憶されている。何れも管理人から呼び出しがあったことを通知するための画像であり、（ａ）は基本画像、（ｂ）は緊急な呼び出しである場合の画像、（ｃ）は返信を必要とする場合の画像、（ｄ）は返信を必要としない場合の画像を示している。
【００２８】
図８は管理室親機４３の回路ブロック図を示している。図８に示すように、管理室親機４３は、通話するためのマイク６５及びスピーカ６６、このマイク６５及びスピーカ６６を制御する通話回路６７、居室番号の入力等を行うためのテンキー６８、呼出ボタンや各種設定、操作を行うための操作部６９、制御機４４と通信するための管理室親機ＩＦ７０、管理室親機４３内の各部を制御する管理室親機ＣＰＵ７１等を備えている。
【００２９】
このように構成された集合住宅のインターホン装置の動作は以下のようである。先ず、集合玄関機４１から来訪者が居住者を呼び出した場合を説明する。
集合玄関機４１において、所定の操作により呼出先住戸が選択されて呼出操作されると、呼出信号が制御機４４に送信され、制御機４４から呼出先の住戸親機４２に呼出信号が送信される。呼出先の住戸親機４２では、呼出信号を受けてスピーカ５４から呼出音が報音される。同時に集合玄関機４１のカメラ４１ａが撮像を開始し、撮像した映像が制御機４４を介して住戸親機４２に送信される。住戸親機４２では、受信した映像信号が映像処理部５２にて適宜映像処理され、モニタ５１に表示される。
【００３０】
この呼出動作を受けて、居住者が在宅の場合は、操作部５６からの所定の応答操作によりモニタ５２に表示された来訪者映像を見ながら居住者と来訪者の間で通話が実施される。一方、留守にしている場合や応答しない場合、また通常状態でも映像の録画操作が行われたら、親機ＣＰＵ６０の制御で映像記憶部５７にカメラ４１ａの撮像映像を記憶する制御が実施される。録画は、録画時刻が映像に添付されて記憶され、何時、誰が訪問したかを後で確認することができる。
【００３１】
次に、管理室親機４３から住戸親機４２に呼び出しが成された場合を説明する。管理人により管理室親機４３のテンキー６８及び操作部６９が操作されて、所望の住戸親機４２が呼び出されると、呼出信号が制御機４４を介して住戸親機４２に送信される。この呼出信号を受信した住戸親機４２では、スピーカ５４から呼出音を報音する。
【００３２】
このとき、不在等で居住者の応答がなければ、管理人により管理室親機４の操作部６９が更に操作されて、呼び出しをしたことを居住者に知らせるための所定の操作が行われる。例えば、管理室親機４３に、住戸親機４２に記憶されているアイコン画像を選択する「通常呼び出し」、「緊急呼び出し」等のボタンが設けられ、ボタン操作で実施される。
この操作により、通知信号と共にアイコン画像選択信号が住戸親機４２に送信される。この信号を受けた親機ＣＰＵ６０は、アイコン記憶部５８に記憶されたアイコン画像から選択された画像を読み取り、映像の録画と同様に映像記憶部５７にそのときの時刻情報を添付して録画する。例えば、返信を要求する信号である場合は、図７（ｃ）の画像が選択されて記憶される。
【００３３】
こうした操作があった後、帰宅した居住者により住戸親機４２の操作部５６が作されて、留守にしていた間の訪問者有無の確認が成されると、親機ＣＰＵ６０は映像記憶部５７から録画した映像を時系列順に読み出してモニタ５１に表示する。
図９は、この時表示される映像の一例を示し、（ａ）〜（ｃ）と３種類の映像が表示される場合を示している。具体的に、１人の訪問者があった後、管理人から呼び出しがあったことがその時刻と共に表示され、その後また訪問者があった様子が表示される。この表示から、居住者は管理人からの呼び出しが、具体的に２００９／１０／１７  １２：５２にあったことを認識することができる。更に、表示されたアイコン画像から返信が必要であることも認識できる。
【００３４】
このように、管理室親機４３が呼出操作した住戸親機４２から応答が無い場合等に、管理室親機４３から所定の信号である通知信号を送信することで、関連するアイコン画像を住戸親機４２の映像記憶部５７に録画させることができる。そのため、帰宅した居住者は、録画映像を再生した段階で、管理人から呼び出し等があったことを認識でき、別途そのための表示手段が必要無い。
また、アイコン画像選択信号を通知信号と共に住戸親機４２に送信するので、録画させるアイコン画像を管理室親機４３から選択することができ、応答を必要とする内容であるか、緊急な内容であるか等を選択して録画できる。そのため、録画を再生した居住者は適切な対応をとることができる。
【００３５】
尚、住戸親機４２も上記図１に示す親機２と同様に、各種異常検知センサ３等が接続されている場合は、アイコン記憶部５８に図３に示すアイコン画像を記憶することで、上記戸建て住宅のインターホン装置の場合と同様に録画再生時にはアイコン画像の表示により異常検知センサの動作があったことを認識できる。
また、住戸親機４２のモニタ５１にタッチパネルが設けられている場合は、アイコン画像を図１０に示すように返信ボタン７２を設けた構成とすると良い。このように返信ボタン７２を合わせて表示することで、ワンタッチで返信操作でき便利である。そして、この場合、一度返信ボタン７２が操作された後は、返信ボタンの表示は行わないように制御しても良く、ボタン表示がないということは管理室親機４３に返信済みであることが理解できるので、居住者の混乱を避けることができる。
【００３６】
更に、上記実施形態では、管理人がアイコン画像を選択するが、応答がなく管理室親機４３からの呼出操作を終了した場合に、自動でアイコン画像（例えば、上記図７（ａ）のアイコン画像）を録画するよう構成しても良い。その場合は、管理人による通知操作や選択操作が必要ないし、管理室親機４３にアイコン画像を選択するボタンそのものを無くすことができる。
【符号の説明】
【００３７】
１・・子機、２・・親機、３・・異常検知センサ（異常検知手段）、１２・・カメラ、２１・・モニタ、２６・・操作部、２７・・映像記憶部、２８・・アイコン記憶部、３０・・親機ＣＰＵ（録画制御部）、４１・・集合玄関機、４１ａ・・カメラ、４２・・住戸親機（親機）、４３・・管理室親機、４４・・制御機、５１・・モニタ、５６・・操作部、５７・・映像記憶部、５８・アイコン記憶部、６０・・親機ＣＰＵ（録画制御部、親機呼出制御部）、６９・・操作部（呼出内容選択手段）、７１・・管理室親機ＣＰＵ、７２・・返信ボタン。
【図１】
2011160105.tif 000003
【図２】
2011160105.tif 000004
【図３】
2011160105.tif 000005
【図４】
2011160105.tif 000006
【図５】
2011160105.tif 000007
【図６】
2011160105.tif 000008
【図７】
2011160105.tif 000009
【図８】
2011160105.tif 000010
【図９】
2011160105.tif 000011
【図１０】
2011160105.tif 000012